【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
オレフィンメタセシス挿入反応を経てコポリマーを合成する方法であって、該方法が、ジエンモノマーの、ポリオレフィンの骨格へのメタセシス挿入を提供するのに効果的な反応条件下で、触媒的有効量のオレフィンメタセシス触媒の存在下で、２つの末端オレフィン基を有するジエンモノマーにポリオレフィンを接触させる工程を包含し、ここで反応媒体中の該ジエンの濃度が０．２〜２モル濃度である、方法。
【請求項２】
請求項１に記載の方法であって、ここで前記コポリマーが、逐次オレフィンメタセシス反応を介して調製される交互コポリマーであり；前記ポリオレフィンが、開環メタセシス重合（ＲＯＭＰ）反応を起こすのを可能にするのに効果的な反応条件下で、触媒的有効量のオレフィンメタセシス触媒と環式オレフィンモノマーを接触させることにより、該ＲＯＭＰ反応を用いて合成されるポリオレフィン中間体であり；そして
該ポリオレフィン中間体が、前記ジエンモノマーの、該ポリオレフィン中間体の骨格へのメタセシス挿入をもたらすために選択された反応条件下で、２つの末端オレフィン基を有するジエンモノマーと接触される、方法。
【請求項３】
環式オレフィンの環拡大による大環状分子を合成するための方法であって、該方法が、以下の順序で３つのメタセシス工程を包含する：
（ｉ）環式オレフィンの開環メタセシス（ＲＯＭ）反応工程；
（ｉｉ）２つの末端オレフィン基を有するジエンとの交差メタセシス（ＣＭ）工程反応；および
（ｉｉｉ）閉環メタセシス（ＲＣＭ）反応工程；
ここで工程（ｉ）−（ｉｉｉ）が、３つのメタセシス反応の各々を生じさせるのに有効な反応条件下で、触媒的有効量の、オレフィンメタセシス触媒の存在下において実行される、方法。
【請求項４】
請求項１または２に記載の方法であって、ここで前記ポリオレフィンが、レジオ規則的であり、前記コポリマーが、レジオ規則的交互コポリマーである、方法。
【請求項５】
請求項２に記載の方法であって、ここで前記ジエンモノマーが、非環式のジエンであって、そして前記メタセシス挿入反応が、交差メタセシス挿入（ＣＭＩ）を包含する、方法。
【請求項６】
請求項１、２、または３のいずれか１項に記載の方法であって、ここで２つの末端オレフィン基を有する前記ジエンモノマーが、開環交差メタセシス（ＲＯＣＭ）反応を介して環式ジエンからインサイチュで産生される、方法。
【請求項７】
請求項２に記載の方法であって、ここで前記環式オレフィンモノマーが、オレフィン官能基を二等分する軸に対して対称的であり、その結果、前記ポリオレフィン中間体が、レジオ規則的である、方法。
【請求項８】
請求項２に記載の方法であって、ここで前記メタセシス挿入反応に続いて、前記コポリマーが、単離され、そして精製される、方法。
【請求項９】
請求項１、２、または３のいずれか１項に記載の方法であって、ここで請求項１もしくは２に記載のコポリマーまたは請求項３に記載の大環状分子が、さらに修飾される、方法。
【請求項１０】
請求項１、２、または３のいずれか１項に記載の方法であって、ここで前記オレフィンメタセシス触媒が、式（Ｉ）
【化１】
2005517774.tif 000001
の構造を有する８族遷移金属錯体であり、
ここで：
Ｍが８族遷移金属であり；
Ｌ１およびＬ２が、中性の電子ドナー配位子であり；
Ｘ１およびＸ２が、アニオン配位子であり、そして
Ｒ１およびＲ２が、水素、ヒドロカルビル、置換ヒドロカルビル、ヘテロ原子含有ヒドロカルビル、置換ヘテロ原子含有ヒドロカルビル、および官能基から独立して選択され；
ここで、Ｘ１、Ｘ２、Ｌ１、Ｌ２、Ｒ１およびＲ２の任意の２つ以上が一緒になって環式の基を形成し得、そしてさらにここでＸ１、Ｘ２、Ｌ１、Ｌ２、Ｒ１およびＲ２の任意の１つが、支持体に結合され得る、方法。
【請求項１１】
請求項１０に記載の方法であって、ここで：
Ｒ１が、水素であり、そしてＲ２が、Ｃ１〜Ｃ２０アルキル、Ｃ２〜Ｃ２０アルケニル、およびＣ５〜Ｃ２０アリールから選択され、必要に応じて、Ｃ１〜Ｃ６アルキル、Ｃ１〜Ｃ６アルコキシ、およびフェニルから選択される１つ以上の部分で置換され；
Ｌ１およびＬ２が、ホスフィン、スルホン化ホスフィン、ホスファイト、ホスフィナイト、ホスフォナイト、アルシン、スチビン、エーテル、アミン、アミド、イミン、スルホキシド、カルボキシル、ニトロシル、ピリジン、置換ピリジン、イミダゾール、置換イミダゾール、ピラジン、およびチオエーテルから独立して選択され；そして
Ｘ１およびＸ２は、水素、ハロゲン化物、Ｃ１〜Ｃ２０アルキル、Ｃ５〜Ｃ２０アリール、Ｃ１〜Ｃ２０アルコキシ、Ｃ５〜Ｃ２０アリールオキシ、Ｃ２〜Ｃ２０アルコキシカルボニル、Ｃ６〜Ｃ２０アリールオキシカルボニル、Ｃ２〜Ｃ２０アシル、Ｃ２〜Ｃ２０アシルオキシ、Ｃ１〜Ｃ２０アルキルスルホナト、Ｃ５〜Ｃ２０アリールスルホナト、Ｃ１〜Ｃ２０アルキルスルファニル、Ｃ５〜Ｃ２０アリールスルファニル、Ｃ１〜Ｃ２０アルキルスルフィニル、Ｃ５〜Ｃ２０アリールスルフィニルから独立して選択され、その任意が、水素およびハロゲン化物を除いてハロゲン化物、Ｃ１〜Ｃ６アルキル、Ｃ１〜Ｃ６アルコキシ、およびフェニルから選択される１つ以上の基で必要に応じてさらに置換される、方法。
【請求項１２】
請求項１１に記載の方法であって、ここで：
Ｍが、ＲｕまたはＯｓであり；
Ｒ２が、フェニル、ビニル、メチル、イソプロピル、およびｔ−ブチルから選択され；
Ｌ１およびＬ２が、式ＰＲ５Ｒ６Ｒ７のホスフィンであり、ここでＲ５、Ｒ６、およびＲ７が、各々独立してアリールまたはＣ１〜Ｃ１０アルキルであり；そして
Ｘ１およびＸ２が、ハロゲン化物、ＣＦ３ＣＯ２、ＣＨ３ＣＯ２、ＣＦＨ２ＣＯ２、（ＣＨ３）３ＣＯ、（ＣＦ３）２（ＣＨ３）ＣＯ、（ＣＦ３）（ＣＨ３）２ＣＯ、ＰｈＯ、ＭｅＯ、ＥｔＯ、トシレート、メシレート、およびトリフルオロメタンスルホネートから独立して選択される、方法。
【請求項１３】
請求項１または２に記載の方法であって、ここで前記ジエンが、前記反応物中０．２〜２のモル濃度で存在する、方法。
【請求項１４】
請求項１、２、または３のいずれかに記載の方法であって、ここで前記環式オレフィンモノマーが、前記ジエンに対して１：１〜２５：１のモル比で存在している、方法。
【請求項１５】
請求項２または３に記載の方法であって、ここで前記環式オレフィンモノマーが、式（ＶＩＩ）
【化２】
2005517774.tif 000002
の構造を有し、ここで：
Ｘ４が、１原子〜５原子の結合であり；
Ｒ１５およびＲ１６の１つが、水素であり、他の１つが、水素、ヒドロカルビル、置換されたヒドロカルビル、ヘテロ原子含有ヒドロカルビル、置換されたヘテロ原子含有ヒドロカルビル、および−（Ｌ）ｖ−Ｆｎから選択され、ここでｖが、０または１であり、Ｌが、ヒドロカルビレン、置換ヒドロカルビレン、および／またはヘテロ原子含有ヒドロカルビレンであり、そしてＦｎが、保護された官能基または保護されない官能基であり；ならびに
Ｒ２７、Ｒ２７Ａ、Ｒ２７Ｂ、およびＲ２７Ｃが、水素、ヒドロカルビル、置換されたヒドロカルビル、ヘテロ原子含有ヒドロカルビル、置換されたヘテロ原子含有ヒドロカルビル、および−（Ｌ）ｖ−Ｆｎから独立して選択され、そしてさらにここでＲ２７、Ｒ２７Ａ、Ｒ２７Ｂ、およびＲ２７Ｃの任意の２つが、一緒になって環式構造を形成し得、その結果オレフィンモノマーが、二環式であり、
但し、該オレフィンモノマーが二環式である場合、Ｘ４は、１原子結合または２原子結合である、方法。
【請求項１６】
請求項１５に記載の方法であって、ここでＲ２７ＡおよびＲ２７Ｃは水素であり、Ｒ２７は−（Ｌ）ｖ−Ｆｎであり、ここでｖは０であり、そして−Ｆｎは、−Ｘ３Ａ−（Ｒ１８）ｎであり、そしてＲ２７Ｂは、−（Ｌ）ｖ−Ｆｎであり、ここでｖは０であり、そして−Ｆｎは、−Ｘ３−（Ｒ１７）ｍであり、そしてさらにここでＸ３およびＸ３Ａは、直接的にまたは間接的に結合され、その結果、前記環式モノマーオレフィンは、式（ＶＩＩＡ）
【化３】
2005517774.tif 000003
の構造を有し、
ここで：
Ｘ４は、１原子または２原子の結合であり；
Ｒ１５およびＲ１６は、以前に定義された通りであり；
Ｘ３およびＸ３Ａは、独立してＮ、Ｏ、またはＳであり；
ｋは０または１であり；
ｍおよびｎは、独立して０または１であり；
Ｐ＊は、ヘテロ原子保護基であり；
Ｒ１７およびＲ１８は、水素、ヒドロカルビル、置換ヒドロカルビル、ヘテロ原子含有ヒドロカルビル、置換ヘテロ原子含有ヒドロカルビル、およびアミノ保護基から独立して選択され、ここでＲ１７およびＲ１８は、一緒になって環式の基を形成し得、但し：
Ｘ３がＯまたはＳである場合、ｍは０であり；
Ｘ３ＡがＯまたはＳである場合、ｎは０であり；
Ｘ３がＮである場合、ｍは１であり；そして
Ｘ３ＡがＮである場合、ｎは１である、
方法。
【請求項１７】
請求項１５に記載の方法であって、ここでＸ４は、Ｃ１〜Ｃ５のアルキレンまたは置換されたＣ１〜Ｃ５のアルキレンであり、ここで該置換されたＣ１〜Ｃ５のアルキレンが、少なくとも１つのアルコールまたは保護されたアルコール基により、必要に応じて置換される、方法。
【請求項１８】
請求項２または３に記載の方法であって、ここで前記環式オレフィンモノマーが、シクロペンテン、３−メチルシクロペンテン、４−メチルシクロペンテン、３−ｔ−ブチルジメチルシリルオキシシクロペンテン、４−ｔ−ブチル−ジメチルシリルオキシシクロペンテン、シクロヘキセン、３−メチルシクロヘキセン、４−メチルシクロヘキセン、３−ｔ−ブチルジメチルシリルオキシシクロヘキセン、４−ｔ−ブチルジメチルシリルオキシシクロヘキセン、シクロヘプテン、３−メチルシクロヘプテン、４−メチルシクロヘプテン、５−メチルシクロヘプテン、３−ｔ−ブチルジメチルシリルオキシ−シクロヘプテン、４−ｔ−ブチルジメチルシリルオキシシクロヘプテン、５−ｔ−ブチルジメチルシリルオキシシクロヘプテン、シクロオクテン、３−メチルシクロオクテン、４−メチルシクロオクテン、５−メチルシクロオクテン、３−ｔ−ブチルジメチルシリルオキシシクロオクテン、４−ｔ−ブチルジメチルシリルオキシシクロオクテン、５−ｔ−ブチルジメチルシリルオキシシクロオクテン、シクロノネン、３−メチルシクロノネン、４−メチルシクロノネン、５−メチルシクロノネン、６−メチルシクロノネン、３−ｔ−ブチルジメチルシリルオキシシクロノネン、４−ｔ−ブチルジメチルシリルオキシシクロノネン、５−ｔ−ブチルジメチルシリルオキシシクロノネン、６−ｔ−ブチルジメチルシリルオキシシクロノネン、シクロデセン、３−メチルシクロデセン、４−メチルシクロデセン、５−メチルシクロデセン、６−メチルシクロデセン、３−ｔ−ブチルジメチルシリルオキシシクロデセン、４−ｔ−ブチルジメチルシリルオキシシクロノネン、５−ｔ−ブチルジメチルシリルオキシシクロデセン、６−ｔ−ブチルジメチルシリルオキシシクロデセン、シクロウンデセン、３−メチルシクロウンデセン、４−メチルシクロウンデセン、５−メチルシクロウンデセン、６−メチルシクロウンデセン、７−メチルシクロウンデセン、３−ｔ−ブチルジメチルシリルオキシシクロウンデセン、４−ｔ−ブチルジメチルシリルオキシシクロウンデセン、５−ｔ−ブチルジメチルシリルオキシシクロウンデセン、６−ｔ−ブチルジメチルシリルオキシシクロウンデセン、７−ｔ−ブチルジメチルシリルオキシシクロウンデセン、シクロドデセン、３−メチルシクロドデセン、４−メチルシクロドデセン、５−メチルシクロドデセン、６−メチルシクロドデセン、７−メチルシクロドデセン、３−ｔ−ブチルジメチルシリルオキシシクロドデセン、４−ｔ−ブチルジメチルシリルオキシシクロドデセン、５−ｔ−ブチルジメチルシリルオキシシクロドデセン、６−ｔ−ブチルジメチルシリルオキシシクロドデセン、および７−ｔ−ブチルジメチルシリルオキシシクロドデセンから選択される、方法。
【請求項１９】
請求項１、２、または３のいずれか１項に記載の方法であって、ここで前記ジエンの２つの末端オレフィン基が、６〜３０の炭素原子を含む、ヒドロカルビレンリンカー基により結合され、ここで該リンカー基の該炭素原子が、置換されていても置換されていなくてもよく、該リンカー基が、Ｏ、ＮおよびＳから選択される６つまでのヘテロ原子により分断され得、ここで鎖上の２つ以上の置換基が、結合してさらなる環式の基を形成し得る、方法。
【請求項２０】
請求項１９に記載の方法であって、ここで前記非環式ジエンが、以下：
【化４】
2005517774.tif 000004
の式（ＶＩＩｂ）および（ＶＩＩｃ）から選択され、
ここで：
Ｒ２８、Ｒ２９、Ｒ３１、およびＲ３２が、各々独立してオレフィン交差メタセシスを妨げない水素または置換基であり、
Ｒ３０およびＲ３３は、各々独立してオレフィン交差メタセシスを妨げない水素または脱離基であり、
Ｒ３４およびＲ３５は、各々独立して水素、非アシルアルコール保護基、またはアシル基であり、そして、
Ｇは、６〜３０の炭素原子を含むヒドロカルビレンリンカー基であり、ここで該リンカー基の該炭素原子は、置換されていても置換されていなくても良く、該リンカー基は、Ｏ、ＳおよびＮから選択される６個までのヘテロ原子により分断され得、ここで前記鎖の２つ以上の置換基が、結合してさらなる環式の基を形成し得る、方法。
【請求項２１】
請求項２０に記載の方法であって、ここでＧが、２個〜２４個の結合した−Ｘ７−基により構築されるリンカー鎖であり、ここでリンカー鎖中の各々のＸ７の各々の出現が、ＣＲ３６Ｒ３７、Ｏ、Ｓ、またはＮＲ３８から独立して選択され、そしてＲ３６、Ｒ３７、およびＲ３８が、水素、置換ヒドロカルビル、ヘテロ原子含有ヒドロカルビル、置換ヘテロ原子含有ヒドロカルビル、官能基および保護官能基から独立して選択され、ここで、該リンカー鎖のＣＲ３６Ｒ３７基の６対までが、Ｏ、Ｓ、またはＮＲ３８基によって独立して分断され得る、方法。
【請求項２２】
請求項１または２に記載の方法であって、ここで前記コポリマーが、以下：
【化５】
2005517774.tif 000005
のような式（ＶＩＩｄ）および（ＶＩＩｅ）から選択される繰り返し単位を含むコポリマーであり、
ここで：
Ｒ２８、Ｒ２９、Ｒ３１、およびＲ３２は、各々独立して、オレフィン交差メタセシスを妨げない水素または置換基であり、
Ｒ３０およびＲ３３は、各々独立して、オレフィン交差メタセシスを妨げない水素または脱離基であり、
Ｒ３４およびＲ３５は、各々独立して、水素、非アシルアルコール保護基、またはアシル基であり、
Ｇは、６〜３０の炭素原子を含む、ヒドロカルビレンリンカー基であり、ここで該リンカー基の該炭素原子は、置換されていても置換されていなくても良く、該リンカー基は、Ｏ、ＳおよびＮから選択される６個までのヘテロ原子によって分断され得、ここで鎖の２つ以上の置換基が、結合してさらなる環式の基を形成し得、
Ｘ６は、１原子結合、２原子結合、３原子結合、４原子結合、または５原子結合であり、
ｙは、０〜４の整数であり、そして
各々の存在におけるＲ２７は、環式炭素上の水素原子を置換し得、そして各々の存在が、ヒドロカルビル、置換されたヒドロカルビル、ヘテロ原子含有ヒドロカルビル、置換されたヘテロ原子含有ヒドロカルビル、および−（Ｌ）ｖ−Ｆｎから独立して選択され、ここでｖが０または１であり、Ｌがヒドロカルビレン、置換されたヒドロカルビレン、および／またはヘテロ原子含有ヒドロカルビレンであり、そしてＦｎが、官能基であり、ここで２つのＲ２７基が、共同でカルボニル基を形成し得る、方法。
【請求項２３】
請求項３に記載の方法であって、ここで前記大環状分子が、以下の式：
【化６】
2005517774.tif 000006
【化７】
2005517774.tif 000007
から選択される構造を有する、方法。
【請求項２４】
請求項２３に記載の方法であって、該方法が、以下のさらなる工程：
（１）前記オレフィン大環状分子から保護基を取り除く工程；
（２）該オレフィン大環状分子の１つ以上の二重結合に水素付加する工程、
の１つ以上を包含する、方法。
【請求項２５】
請求項３に記載の方法であって、ここで２つの末端オレフィン基を有する前記ジエンが、０．００３〜０．０１０のモル濃度範囲で反応溶液中に存在している、方法。
【請求項２６】
請求項１０に記載の方法であって、前記Ｌ１が、式（ＩＩ）
【化８】
2005517774.tif 000008
の構造を有し、ここで
ＸおよびＹは、Ｎ、Ｏ、ＳおよびＰから選択されるヘテロ原子であり；
ｐは、ＸがＯまたはＳである場合、０であり、そしてＸがＮまたはＰである場合、ｐは１であり；
ｑは、ＹがＯまたはＳである場合、０であり、そしてＹがＮまたはＰである場合、ｑは１であり；
Ｑ１、Ｑ２、Ｑ３およびＱ４は、独立に、ヒドロカルビレン、置換されたヒドロカルビレン、ヘテロ原子含有ヒドロカルビレン、置換されたヘテロ原子含有ヒドロカルビレン、および−（ＣＯ）−から選択され、さらにここでＱ内の隣接する原子上の２つ以上の置換基は、連結してさらなる環状構造を形成し得；
ｗ、ｘ、ｙおよびｚは、独立に０または１であり；そして
Ｒ３、Ｒ３Ａ、Ｒ４およびＲ４Ａは、水素、ヒドロカルビル、置換されたヒドロカルビル、ヘテロ原子含有ヒドロカルビル、および置換されたヘテロ原子含有ヒドロカルビルから独立に選択され；
その結果、前記遷移金属錯体が、式（ＩＩＡ）
【化９】
2005517774.tif 000009
の構造を有するルテニウムカルベン錯体であり、
ここで、２つ以上の任意のＸ１、Ｘ２、Ｌ２、Ｒ１、Ｒ２、Ｒ３、Ｒ３Ａ、Ｒ４およびＲ４Ａは、連結して環式基を形成し得、そしてさらにここで１つ以上の任意のＸ１、Ｘ２、Ｌ２、Ｒ１、Ｒ２、Ｒ３、Ｒ３Ａ、Ｒ４およびＲ４Ａは、支持体に結合し得る、方法。
【請求項２７】
請求項２６に記載の方法であって、ここで、ｗ、ｘ、ｙおよびｚは、０であり、ＸおよびＹは、Ｎであり、そしてＲ３ＡおよびＲ４Ａは、連結して、前記ルテニウムカルベン錯体が式（ＩＶ）
【化１０】
2005517774.tif 000010
の構造を有するような、−Ｑ−を形成し、
ここで、Ｑは、ヒドロカルビレンリンカー、置換されたヒドロカルビレンリンカー、ヘテロ原子含有ヒドロカルビレンリンカー、および置換されたヘテロ原子含有ヒドロカルビレンのリンカーであり、さらにここでＱ内の隣接する原子上の２つ以上の置換基は、連結してさらなる環状構造を形成し得る、方法。
【請求項２８】
請求項２７に記載の方法であって、Ｑが、−ＣＲ８Ｒ９−ＣＲ１０Ｒ１１−または−ＣＲ８＝ＣＲ１０−の構造を有し、ここで、Ｒ８、Ｒ９、Ｒ１０、およびＲ１１は、水素、ヒドロカルビル、置換されたヒドロカルビル、ヘテロ原子含有ヒドロカルビル、置換されたヘテロ原子含有ヒドロカルビル、および官能基から独立に選択され、そして／またはここでＲ８、Ｒ９、Ｒ１０、およびＲ１１の任意の２つは、互いに連結して置換または非置換の、飽和または不飽和の、環を形成し得る、方法。
【請求項２９】
請求項２８に記載の方法であって、Ｑが、−ＣＲ８Ｒ９−ＣＲ１０Ｒ１１−の構造を有し、その結果、前記ルテニウムカルベン錯体が、式（Ｖ）
【化１１】
2005517774.tif 000011
の構造を有する、方法。
【請求項３０】
請求項２９に記載の方法であって、ここで：
Ｒ１は、水素であり、そしてＲ２が、Ｃ１〜Ｃ２０アルキル、Ｃ２〜Ｃ２０アルケニル、およびアリールから選択され、必要に応じて、Ｃ１〜Ｃ６アルキル、Ｃ１〜Ｃ６アルコキシ、およびフェニルから選択される１つ以上の部分で置換され；
Ｌ２は、ホスフィン、スルホン化ホスフィン、ホスファイト、ホスフィナイト、ホスフォナイト、アルシン、スチビン、エーテル、アミン、アミド、イミン、スルホキシド、カルボキシル、ニトロシル、ピリジン、置換ピリジン、イミダゾール、置換イミダゾール、ピラジン、およびチオエーテルから選択され；
Ｘ１およびＸ２は、水素、ハロゲン化物、Ｃ１〜Ｃ２０アルキル、Ｃ５〜Ｃ２０アリール、Ｃ１〜Ｃ２０アルコキシ、Ｃ５〜Ｃ２０アリールオキシ、Ｃ２〜Ｃ２０アルコキシカルボニル、Ｃ６〜Ｃ２０アリールオキシカルボニル、Ｃ２〜Ｃ２０アシル、Ｃ２〜Ｃ２０アシルオキシ、Ｃ１〜Ｃ２０アルキルスルホナト、Ｃ５〜Ｃ２０アリールスルホナト、Ｃ１〜Ｃ２０アルキルスルファニル、Ｃ５〜Ｃ２０アリールスルファニル、Ｃ１〜Ｃ２０アルキルスルフィニル、またはＣ５〜Ｃ２０アリールスルフィニルから独立して選択され、その任意が、水素およびハロゲン化物を除いてハロゲン化物、Ｃ１〜Ｃ６アルキル、Ｃ１〜Ｃ６アルコキシ、およびフェニルから選択される１つ以上の基で必要に応じてさらに置換され、
Ｒ３およびＲ４は、芳香族、置換された芳香族、ヘテロ芳香族、置換ヘテロ芳香族、脂環式、置換脂環式、ヘテロ原子含有脂環式、または置換されたヘテロ原子含有脂環式であり、１〜約５個の環から構成され；そして
Ｒ８およびＲ１０は、水素であり、そして、Ｒ９およびＲ１１が、水素、低級アルキルおよびフェニルから選択されるか、または連結して環式の基を形成する、方法。